【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
次の構成要件（Ａ01）〜（Ａ04）を備えたことを特徴とする請求項１記載の画像形成装置、
（Ａ01）感光体支持軸、
（Ａ02）前記感光体支持軸上に装着される感光体ドラム、
（Ａ03）画像形成装置の本体に着脱可能に連結された支持プレート、
（Ａ04）前記支持プレートと前記感光体支持軸との間に配置した感光体ドラムの位置決めスリーブ。
【請求項２】
次の構成要件（Ａ05）を備えたことを特徴とする請求項１記載の画像形成装置、
（Ａ05）前記感光体支持軸上の感光体ドラムの軸方向の位置を位置決めする前記位置決めスリーブ。
【請求項３】
次の構成要件（Ａ06）を備えたことを特徴とする請求項１または２記載の画像形成装置、
（Ａ06）前記感光体支持軸上の感光体ドラムの半径方向の位置を位置決めする前記位置決めスリーブ。
【請求項４】
次の構成要件（Ａ07）〜（Ａ010）を備えたことを特徴とする請求項１〜３のいずれか記載の画像形成装置、
（Ａ07）画像形成装置の本体フレームに後端部が回転可能に片持ち支持された前記感光体支持軸、
（Ａ08）前記感光体支持軸が貫通する支持軸貫通孔を有し、前記感光体支持軸上に装着される前記感光体ドラム、
（Ａ09）画像形成装置の本体フレームに着脱可能に連結された前側支持プレートを有する前記支持プレート、
（Ａ010）前記前側支持プレートに支持され且つ前記感光体支持軸の前端部に着脱可能に装着されるとともに、前記感光体支持軸上に装着される感光体ドラムの位置決めを行う前側位置決めスリーブを有する前記位置決めスリーブ。
【請求項５】
次の構成要件（Ａ011）を備えたことを特徴とする請求項４記載の画像形成装置、
（Ａ011）前記前側位置決めスリーブを回転可能且つスライド可能に支持するとともに、前記前側支持プレート上の前側位置決めスリーブをスライド方向の所定の位置に位置決めする係止部を支持する前記前側支持プレート。
【請求項６】
次の構成要件（Ａ012）を備えたことを特徴とする請求項４または５記載の画像形成装置、
（Ａ012）画像形成装置の本体フレームに支持される側の端部である後端部が回転可能に片持ち支持されて、前記後端部と反対側の自由端部である前端部から感光体ドラムが着脱可能な前記感光体支持軸。
【請求項７】
次の構成要件（Ａ013），（Ａ014）を備えたことを特徴とする請求項４ないし６のいずれか記載の画像形成装置、
（Ａ013）前記感光体支持軸が貫通する支持軸貫通孔を有し前記感光体支持軸上に装着される装着円筒部を有する感光体ドラム、
（Ａ014）前記前側位置決めスリーブの後端部および前記感光体ドラムの装着円筒部の前端部のうちの一方が円錐状のテーパ面を有し他方が前記テーパ面に当接した状態で前記感光体支持軸上に装着される前記前側位置決めスリーブおよび前記感光体ドラム。
【請求項８】
次の構成要件（Ａ015）を備えたことを特徴とする請求項４ないし７のいずれか記載の画像形成装置、
（Ａ015）前記感光体支持軸に沿って前記感光体ドラムと共に前後移動可能に支持され且つ前記前側位置決めスリーブをベアリングを介して回転可能且つスライド可能に支持する前記前側支持プレート。
【請求項９】
次の構成要件（Ａ016）を備えたことを特徴とする請求項８記載の画像形成装置、
（Ａ016）前記感光体支持軸の外周面および前側位置決めスリーブの内周面が円周方向の円形の接触線上で線接触するように、前記感光体支持軸の外周面または前側位置決めスリーブの内周面に形成された線接触用リング状突出部。
【請求項１０】
次の構成要件（Ａ017）を備えたことを特徴とする請求項８または９記載の画像形成装置、
（Ａ017）前記前側位置決めスリーブの外周面および前側ベアリングの内周面が円周方向の円形の接触線上で線接触するように、前記前側位置決めスリーブの外周面またはベアリングの内周面に形成された線接触用リング状突出部。
【請求項１１】
次の構成要件（Ａ018），（Ａ019）を備えたことを特徴とする請求項８ないし１０のいずれか記載の画像形成装置、
（Ａ018）前記前側支持プレートの前面に対して所定範囲で前後に移動可能に支持されたハンドル、
（Ａ019）前記ハンドルが前方に移動したときに前記前側位置決めスリーブを前方に移動させるとともに前記前側支持プレートに接近する方向に移動したときに前記前側位置決めスリーブを後方に移動させるように前記ハンドルおよび前記前側位置決めスリーブを連結するハンドル・スリーブ連結構造。
【請求項１２】
次の構成要件（Ａ020），（Ａ021）を備えたことを特徴とする請求項８ないし１１のいずれか記載の画像形成装置、
（Ａ020）前記感光体支持軸の後端部外周面に装着された後側位置決めスリーブ、
（Ａ021）前記後側位置決めスリーブの前端部および前記感光体ドラムの前記装着円筒部の後端部のうちの一方が円錐状のテーパ面を有し他方が前記テーパ面に当接した状態で前記感光体支持軸上に装着される前記感光体ドラム。
【手続補正２】
【補正対象書類名】明細書
【補正対象項目名】０００７
【補正方法】変更
【補正の内容】
【０００７】
（本発明）
前記課題を解決するために、本発明の画像形成装置は、次の構成要件（Ａ01）〜（Ａ04）を備えたことを特徴とする。
（Ａ01）感光体支持軸（９）、
（Ａ02）前記感光体支持軸（９）上に装着される感光体ドラム（Ｐy〜Ｐk）、
（Ａ03）画像形成装置の本体に着脱可能に連結された支持プレート（２０，２１）、
（Ａ04）前記支持プレート（２０，２１）と前記感光体支持軸（９）との間に配置した感光体ドラム（Ｐy〜Ｐk）の位置決めスリーブ（５６，１０）。
（本発明の形態１）
本発明の形態１の画像形成装置は、前記本発明において、次の構成要件（Ａ05）を備えたことを特徴とする。
（Ａ05）前記感光体支持軸（９）上の感光体ドラム（Ｐy〜Ｐk）の軸方向の位置を位置決めする前記位置決めスリーブ（５６，１０）。
（本発明の形態２）
本発明の形態２の画像形成装置は、前記本発明または本発明の形態１において、次の構成要件（Ａ06）を備えたことを特徴とする。
（Ａ06）前記感光体支持軸（９）上の感光体ドラム（Ｐy〜Ｐk）の半径方向の位置を位置決めする前記位置決めスリーブ（５６，１０）。
（本発明の形態３）
本発明の形態３の画像形成装置は、前記本発明または本発明の形態１もしくは２において、次の構成要件（Ａ07）〜（Ａ010）を備えたことを特徴とする。
（Ａ07）画像形成装置（Ｕ）の本体フレーム（Ｆ3）に後端部が回転可能に片持ち支持された前記感光体支持軸（９）、
（Ａ08）前記感光体支持軸（９）が貫通する支持軸貫通孔（２３b，２４b）を有し、前記感光体支持軸（９）上に装着される前記感光体ドラム（Ｐy〜Ｐk）、
（Ａ09）画像形成装置（Ｕ）の本体フレーム（Ｆ3）に着脱可能に連結された前側支持プレート（２０）を有する前記支持プレート（２０，２１）、
（Ａ010）前記前側支持プレート（２０）に支持され且つ前記感光体支持軸（９）の前端部に着脱可能に装着されるとともに、前記感光体支持軸（９）上に装着される感光体ドラムの（Ｐy〜Ｐk）位置決めを行う前側位置決めスリーブ（５６）を有する前記位置決めスリーブ（５６，１０）。
（本発明の形態４）
本発明の形態４の画像形成装置は、前記本発明の形態３において、次の構成要件（Ａ011）を備えたことを特徴とする。
（Ａ011）前記前側位置決めスリーブ（５６）を回転可能且つスライド可能に支持するとともに、前記前側支持プレート（２０）上の前側位置決めスリーブ（５６）をスライド方向の所定の位置に位置決めする係止部（６６a，６６b）を支持する前記前側支持プレート（２０）。
（本発明の形態５）
本発明の形態５の画像形成装置は、前記本発明の形態３または４において、次の構成要件（Ａ012）を備えたことを特徴とする。
（Ａ012）画像形成装置（Ｕ）の本体フレーム（Ｆ3）に支持される側の端部である後端部が回転可能に片持ち支持されて、前記後端部と反対側の自由端部である前端部から感光体ドラム（Ｐy〜Ｐk）が着脱可能な前記感光体支持軸（９）。
（本発明の形態６）
本発明の形態６の画像形成装置は、前記本発明の形態３ないし５のいずれかにおいて、次の構成要件（Ａ013），（Ａ014）を備えたことを特徴とする。
（Ａ013）前記感光体支持軸（９）が貫通する支持軸貫通孔（２３b，２４b）を有し前記感光体支持軸（９）上に装着される装着円筒部（２３a，２４a）を有する感光体ドラム（Ｐy〜Ｐk）、
（Ａ014）前記前側位置決めスリーブ（５６）の後端部および前記感光体ドラム（Ｐy〜Ｐk）の装着円筒部（２３a，２４a）の前端部のうちの一方が円錐状のテーパ面（５６ｃ）を有し他方が前記テーパ面（５６ｃ）に当接した状態で前記感光体支持軸（９）上に装着される前記前側位置決めスリーブ（５６）および前記感光体ドラム（Ｐy〜Ｐk）。
（本発明の形態７）
本発明の形態７の画像形成装置は、前記本発明の形態３ないし６のいずれかにおいて、次の構成要件（Ａ015）を備えたことを特徴とする。
（Ａ015）前記感光体支持軸（９）に沿って前記感光体ドラム（Ｐy〜Ｐk）と共に前後移動可能に支持され且つ前記前側位置決めスリーブ（５６）をベアリング（６０）を介して回転可能且つスライド可能に支持する前記前側支持プレート（２０）。


【手続補正３】
【補正対象書類名】明細書
【補正対象項目名】０００８
【補正方法】変更
【補正の内容】
【０００８】
前記本発明の形態７において、前記「前側位置決めスリーブ（５６）をベアリング（６０）を介して回転可能且つスライド可能に支持する前側支持プレート（２０）」に対応する構成としては、次の構成を採用することが可能である。
（１）前側支持プレート（２０）に対してベアリング（６０）を固定し、前記ベアリング（６０）により前側位置決めスリーブ（５６）を回転可能且つスライド可能に支持する構成。
（２）前側支持プレート（２０）に対してベアリング（６０）をスライド移動可能に支持し、前記ベアリング（６０）により前側位置決めスリーブ（５６）を回転可能に支持する構成、または回転可能且つスライド可能に支持する構成。


【手続補正４】
【補正対象書類名】明細書
【補正対象項目名】０００９
【補正方法】変更
【補正の内容】
【０００９】
（本発明の作用）
前記構成（Ａ01）〜（Ａ04）を備えた本発明の画像形成装置では、感光体ドラム（Ｐy〜Ｐk）は、感光体支持軸（９）上に装着される。支持プレート（２０，２１）は、画像形成装置の本体に着脱可能に連結される。前記支持プレート（２０，２１）と前記感光体支持軸（９）との間に配置した位置決めスリーブ（５６，１０）により、感光体支持軸（９）上に装着された感光体ドラム（Ｐy〜Ｐk）の位置決めを、容易に行うことができる。
（本発明の形態１の作用）
前記構成要件（Ａ05）を備えた本発明の形態１の画像形成装置では、前記位置決めスリーブ（５６）は、前記感光体支持軸（９）上の感光体ドラム（Ｐy〜Ｐk）の軸方向の位置を位置決めする。
（本発明の形態２の作用）
前記構成要件（Ａ06）を備えた本発明の形態２の画像形成装置では、前記位置決めスリーブ（５６）は、前記感光体支持軸（９）上の感光体ドラム（Ｐy〜Ｐk）の半径方向の位置を位置決めする。
（本発明の形態３の作用）
前記構成要件（Ａ07）〜（Ａ010）を備えた本発明の形態３の画像形成装置では、画像形成装置（Ｕ）の本体フレーム（Ｆ3）は、感光体支持軸（９）の後端部を回転可能に片持ち支持する。前記感光体支持軸（９）が貫通する支持軸貫通孔（２３b，２４b）を有する感光体ドラム（Ｐy〜Ｐk）は、前記感光体支持軸（９）上に装着される。画像形成装置（Ｕ）の本体フレーム（Ｆ3）に着脱可能に連結された前側支持プレート（２０）は、前側位置決めスリーブ（５６）を支持する。
したがって、画像形成装置（Ｕ）の本体フレーム（Ｆ3）により回転可能に片持ち支持された後端部を有する感光体支持軸（９）は、前記本体フレーム（Ｆ3）に着脱可能に連結された前側支持プレート（２０）に支持された前側位置決めスリーブ（５６）により前端部が支持されて、位置決めされる。また、前記前側支持プレート（２０）に支持された前側位置決めスリーブ（５６）は、前記感光体支持軸（９）の前端部に着脱可能に装着されるとともに、前記感光体支持軸上に装着される感光体ドラムの位置決めを行う。
すなわち、前記本体フレーム（Ｆ3）に着脱可能に連結された前側支持プレート（２０）に支持された前記前側位置決めスリーブ（５６）は、感光体支持軸（９）の前側部分の位置決めを行うとともに、感光体支持軸（９）上に装着された感光体ドラム（Ｐy〜Ｐk）の前側の位置決めを行う。
したがって、前記本発明の形態３の画像形成装置は、前記本体フレーム（Ｆ3）に着脱可能に連結された前側支持プレート（２０）に支持された前記前側位置決めスリーブ（５６）を使用することにより、前記本体フレーム（Ｆ3）に対する前記感光体支持軸（９）の前側部分の位置決め、および、感光体支持軸（９）上に装着された感光体ドラム（Ｐy〜Ｐk）の前側の位置決めを、容易に行うことができる。
（本発明の形態４の作用）
前記構成要件（Ａ011）を備えた本発明の形態４の画像形成装置では、前記前側支持プレート（２０）は、前記前側位置決めスリーブ（５６）を回転可能且つスライド可能に支持するとともに、前記前側支持プレート（２０）に支持された係止部（６６a，６６b）は、前記前側支持プレート（２０）上の前側位置決めスリーブ（５６）をスライド方向の所定の位置に位置決めする。
（本発明の形態５の作用）
前記構成要件（Ａ012）を備えた本発明の形態５の画像形成装置では、画像形成装置（Ｕ）の本体フレーム（Ｆ3）に支持される側の端部である後端部が回転可能に片持ち支持された前記感光体支持軸（９）には、前記後端部と反対側の自由端部である前端部から感光体ドラム（Ｐy〜Ｐk）が着脱可能に装着される。
（本発明の形態６の作用）
前記構成要件（Ａ013），（Ａ014）を備えた本発明の形態６の画像形成装置では、感光体ドラム（Ｐy〜Ｐk）は、その装着円筒部（２３a，２４a）の支持軸貫通孔（２３b，２４b）が前記感光体支持軸（９）が貫通した状態で前記感光体支持軸（９）上に装着される。
前記前側位置決めスリーブ（５６）および前記感光体ドラム（Ｐy〜Ｐk）は、前記前側位置決めスリーブ（５６）の後端部および前記感光体ドラム（Ｐy〜Ｐk）の装着円筒部（２３a，２４a）の前端部のうちの一方に設けた円錐状のテーパ面（５６ｃ）に、他方が当接した状態で前記感光体支持軸（９）上に装着される。このため、感光体ドラム（Ｐy〜Ｐk）の軸心と感光体支持軸（９）の軸心とを一致させた状態で、感光体支持軸（９）上に感光体ドラム（Ｐy〜Ｐk）を装着すること（すなわち、感光体支持軸（９）上の感光体ドラム（Ｐy〜Ｐk）の半径方向の位置決めを行うこと）が容易となる。
（本発明の形態７の作用）
前記構成要件（Ａ015）を備えた本発明の形態７の画像形成装置では、前記感光体支持軸（９）に沿って前記感光体ドラム（Ｐy〜Ｐk）と共に前後移動可能に支持された前記前側支持プレート（２０）は、前記前側位置決めスリーブ（５６）をベアリング（６０）を介して回転可能且つスライド可能に支持する。このため、感光体支持軸（９）とそれに支持された感光体ドラム（Ｐy〜Ｐk）および前側位置決めスリーブ（５６）の回転時の摩擦抵抗は、前記ベアリング（６０）により低い値となる。
また、前記構成要件（Ａ015）を備えた本発明の形態７の画像形成装置において、前記構成要件（Ａ07）〜（Ａ015）の全ての構成要件を備えたものは、次の作用を奏する。
すなわち、画像形成装置（Ｕ）の本体フレーム（Ｆ3）に後端部が回転可能に片持ち支持された感光体支持軸（９）は、前端部から感光体ドラム（Ｐy〜Ｐk）が着脱可能である。感光体ドラム（Ｐy〜Ｐk）は、装着円筒部（２３a）の支持軸貫通孔（２３b）を貫通する前記感光体支持軸（９）により着脱可能に支持される。
前側位置決めスリーブ（５６）は前記感光体支持軸（９）の前端部に着脱可能に装着される。
前記前側位置決めスリーブ（５６）および前記感光体ドラム（Ｐy〜Ｐk）は、前記前側位置決めスリーブ（５６）の後端部および前記感光体ドラム（Ｐy〜Ｐk）の装着円筒部（２３a）の前端部のうちの一方が円錐状のテーパ面（５６c）を有し他方が前記テーパ面（５６c）に当接した状態で前記感光体支持軸（９）上に位置決めされ装着される。


【手続補正５】
【補正対象書類名】明細書
【補正対象項目名】００１１
【補正方法】変更
【補正の内容】
【００１１】
（本発明の形態８）
本発明の形態８の画像形成装置は、前記本発明の形態７において次の構成要件（Ａ016）を備えたことを特徴とする、
（Ａ016）前記感光体支持軸（９）の外周面および前側位置決めスリーブ（５６）の内周面が円周方向の円形の接触線上で線接触するように、前記感光体支持軸（９）の外周面または前側位置決めスリーブ（５６）の内周面に形成された線接触用リング状突出部（９c）。


【手続補正６】
【補正対象書類名】明細書
【補正対象項目名】００１２
【補正方法】変更
【補正の内容】
【００１２】
（本発明の形態８の作用）
前記構成要件（Ａ016）を備えた本発明の形態８の画像形成装置では、前記感光体支持軸（９）の外周面または前側位置決めスリーブ（５６）の内周面に形成された線接触用リング状突出部（９c）は、前記感光体支持軸（９）の外周面および前側位置決めスリーブ（５６）の内周面が円周方向の円形の接触線上で線接触する。
したがって、前記前側位置決めスリーブ（５６）は、感光体支持軸（９）上で前記線接触用リング状突出部（９c）を支点として回動できるので、前側位置決めスリーブ（５６）および感光体支持軸（９）の間のかじりの発生を防止することができる。


【手続補正７】
【補正対象書類名】明細書
【補正対象項目名】００１３
【補正方法】変更
【補正の内容】
【００１３】
（本発明の形態９）
本発明の形態９の画像形成装置は、前記本発明の形態７または８において次の構成要件（Ａ017）を備えたことを特徴とする、
（Ａ017）前記前側位置決めスリーブ（５６）の外周面およびベアリング（６０）の内周面が円周方向の円形の接触線上で線接触するように、前記前側位置決めスリーブ（５６）の外周面またはベアリング（６０）の内周面に形成された線接触用リング状突出部（５６d）。


【手続補正８】
【補正対象書類名】明細書
【補正対象項目名】００１４
【補正方法】変更
【補正の内容】
【００１４】
（本発明の形態９の作用）
前記構成要件（Ａ017）を備えた本発明の形態９の画像形成装置では、前記前側位置決めスリーブ（５６）の外周面またはベアリング（６０）の内周面に形成された線接触用リング状突出部（５６d）は、前記前側位置決めスリーブ（５６）の外周面およびベアリング（６０）の内周面が円周方向の円形の接触線上で線接触する。
したがって、前記前側位置決めスリーブ（５６）は、ベアリング（６０）内面に対して前記線接触用リング状突出部（５６d）を支点として回動できるので、前側位置決めスリーブ（５６）およびベアリング（６０）の間のかじりの発生を防止することができる。


【手続補正９】
【補正対象書類名】明細書
【補正対象項目名】００１５
【補正方法】変更
【補正の内容】
【００１５】
（本発明の形態１０）
本発明の形態１０の画像形成装置は、前記本発明の形態７ないし９のいずれかにおいて次の構成要件（Ａ018），（Ａ019）を備えたことを特徴とする、
（Ａ018）前記前側支持プレート（２０）の前面に対して所定範囲で前後に移動可能に支持されたハンドル（６７）、
（Ａ019）前記ハンドル（６７）が前方に移動したときに前記前側位置決めスリーブ（５６）を前方に移動させるとともに前記前側支持プレート（２０）に接近する方向に移動したときに前記前側位置決めスリーブ（５６）を後方に移動させるように前記ハンドル（６７）および前記前側位置決めスリーブ（５６）を連結するハンドル・スリーブ連結構造（６６＋５８）。


【手続補正１０】
【補正対象書類名】明細書
【補正対象項目名】００１６
【補正方法】変更
【補正の内容】
【００１６】
（本発明の形態１０の作用）
前記構成要件（Ａ018），（Ａ019）を備えた本発明の形態１０の画像形成装置では、前側支持プレート（２０）に設けた前記ハンドル（６７）を前方に引っ張ると、ハンドル（６７）は前記前側支持プレート（２０）から前方に離れる。このとき、ハンドル・スリーブ連結構造（６６＋５８）により、前記前側位置決めスリーブ（５６）は前方に移動する。このとき、感光体ドラム（Ｐy〜Ｐk）が感光体支持軸（９）上で移動可能となる。
また、前記前方に引っ張った前記ハンドル（６７）を後方に押すと、ハンドル（６７）の自由端が前記前側支持プレート（２０）に接近する方向に回転する。このとき、ハンドル・スリーブ連結構造（６６＋５８）により、前記前側位置決めスリーブ（５６）は感光体支持軸（９）上で後方に移動するので、感光体支持軸（９）上の感光体ドラム（Ｐy〜Ｐk）の前端に当接する。


【手続補正１１】
【補正対象書類名】明細書
【補正対象項目名】００１７
【補正方法】変更
【補正の内容】
【００１７】
（本発明の形態１１）
本発明の形態１１の画像形成装置は、前記本発明の形態７ないし１０のいずかにおいて次の構成要件（Ａ020），（Ａ021）を備えたことを特徴とする、
（Ａ020）前記感光体支持軸（９）の後端部外周面に装着された後側位置決めスリーブ（１０）、
（Ａ021）前記後側位置決めスリーブ（１０）の前端部および前記感光体ドラム（Ｐy〜Ｐk）の装着円筒部（２４a）の後端部のうちの一方が円錐状のテーパ面（１０a）を有し他方が前記テーパ面（１０a）に当接した状態で前記感光体支持軸（９）上に装着される前記後側位置決めスリーブ（１０）および前記感光体ドラム（Ｐy〜Ｐk）。


【手続補正１２】
【補正対象書類名】明細書
【補正対象項目名】００１８
【補正方法】変更
【補正の内容】
【００１８】
（本発明の形態１１の作用）
前記構成（Ａ020），（Ａ021）を備えた本発明の形態１１の画像形成装置では、後側位置決めスリーブ（１０）は、前記感光体支持軸（９）の後端部に装着される。
前記後側位置決めスリーブ（１０）および前記感光体ドラム（Ｐy〜Ｐk）は、前記後側位置決めスリーブ（１０）の前端部および前記感光体ドラム（Ｐy〜Ｐk）の装着円筒部（２４a）の後端部のうちの一方が円錐状のテーパ面（１０a）を有し他方が前記テーパ面（１０a）に当接した状態で前記感光体支持軸（９）上に装着される。
すなわち、感光体支持軸（９）上に装着された後側位置決めスリーブ（１０）の前方に感光体ドラム（Ｐy〜Ｐk）を装着し、その前方に装着した前側位置決めスリーブ（５６）を前後にスライドさせることにより、感光体支持軸（９）上に感光体ドラム（Ｐy〜Ｐk）および前側位置決めスリーブ（５６）を容易に着脱させることが可能となる。


【手続補正１３】
【補正対象書類名】明細書
【補正対象項目名】００１９
【補正方法】変更
【補正の内容】
【００１９】
（本発明の形態１２）
本発明の形態１２の画像形成装置は、前記本発明の形態８ないし１０のいずれかにおいて次の構成要件（Ａ022）を備えたことを特徴とする、
（Ａ022）前記ベアリングにスライド移動可能に支持された前記前側位置決めスリーブ（５６）。


【手続補正１４】
【補正対象書類名】明細書
【補正対象項目名】００２０
【補正方法】変更
【補正の内容】
【００２０】
（本発明の形態１２の作用）
前記構成要件（Ａ022）を備えた本発明の形態１２の画像形成装置では、前記前側位置決めスリーブ（５６）は、前記ベアリング（６０）にスライド移動可能に支持される。したがって、前記前側位置決めスリーブ（５６）は、ベアリング（６０）とは独立に、前記感光体支持軸（９）でスライド移動する。前記前側位置決めスリーブ（５６）を感光体支持軸（９）上で後方に移動させると、前記前側位置決めスリーブ（５６）の後端部および前記感光体ドラム（Ｐy〜Ｐk）の装着円筒部（２３a）の前端部のうちの一方が円錐状のテーパ面（５６c）を有し他方が前記テーパ面（５６c）に当接した状態で前記感光体支持軸（９）上に位置決めされ装着される。
またその状態で、前記前側位置決めスリーブ（５６）を前方にスライドさせると、前記前側位置決めスリーブ（５６）の後端部および前記感光体ドラム（Ｐy〜Ｐk）の装着円筒部（２３a）の前端部の当接状態（前記一方が円錐状のテーパ面（５６c）を有し他方が前記テーパ面（５６c）に当接した状態）が解除されるため、感光体支持軸（９）上で感光体ドラム（Ｐy〜Ｐk）の前方への移動が自由となる。
したがって、前側支持プレート（２０）およびベアリング（６０）を移動させることなく、前記前側位置決めスリーブ（５６）のみを移動させることにより、感光体ドラム（Ｐy〜Ｐk）を感光体支持軸（９）上で移動可能な状態にしたり移動不可能な状態とすることができる。


【手続補正１５】
【補正対象書類名】明細書
【補正対象項目名】００２１
【補正方法】変更
【補正の内容】
【００２１】
【発明の実施の形態】
次に図面を参照しながら、本発明の実施の形態の具体例（実施例）を説明するが、本発明は以下の実施例に限定されるものではない。
【実施例】
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。